(57)【特許請求の範囲】
【請求項１】
電池の挿入のための電池装填口と、該電池装填口からの前記電池の挿入方向の奥側に位置する奥壁または前記電池装填口を塞ぐべく開閉可能に設けられた蓋部材の少なくとも一方に設けられ電気的な端子を形成する電池接片と、前記蓋部材に対向する挿入された前記電池の後端面に係合可能な係止爪と、を備える電池室であって、
前記係止爪を前記電池の後端面に係合する係合位置と前記係止爪が前記電池の後端面に係合しない退避位置との間で移動可能に保持する爪機構を備え、
該爪機構は、前記挿入方向に沿って移動可能に前記奥壁を保持し、前記電池を挿入した際の前記奥壁の移動に伴って、前記係合位置とした際の前記係止爪から前記奥壁までの間隔が、前記電池の挿入方向で見た高さ寸法となると、前記係止爪を前記退避位置から前記係合位置へと移動させることを特徴とする電池室。
【請求項２】
前記爪機構は、前記電池室の外方で前記電池の挿入方向に延在しつつ延在方向に直交する軸線回りに回動可能に支持された長尺部材からなり、一端に前記係止爪を有しかつ他端部に長尺方向に並列して複数の係合溝部を有する固定レバーと、
前記奥壁の移動と共に前記固定レバーにおいて前記各係合溝部が設けられた面と対向しつつ前記電池の挿入方向に移動すべく前記奥壁に設けられた係合突起と、を有し、
該係合突起は、前記挿入方向での移動に伴って、前記係止爪を前記係合位置とする係止姿勢である前記固定レバーにおける前記各係合溝部が設けられた面に対して、干渉可能であるとともに前記各係合溝部への係合が可能な大きさ寸法とされ、
該各係合溝部は、前記係合位置とした際の前記係止爪から前記奥壁までの間隔を、前記各電池の挿入方向で見た高さ寸法とする、前記奥壁の位置に対応する前記挿入方向での位置にある前記係合突起の係合を可能とするように、前記固定レバー上での長尺方向で見た位置が設定されていることを特徴とする請求項１に記載の電池室。
【請求項３】
前記爪機構は、前記奥壁を前記電池装填口側へ向けて付勢していることを特徴とする請求項２に記載の電池室。
【請求項４】
前記各係合溝部は、前記一端側に前記奥壁への付勢により前記電池装填口側へ移動する前記係合突起と係合可能な係合面を有し、
前記各係合溝部のうち少なくとも最も前記他端側に位置する前記係合溝部を除く前記各係合溝部は、前記他端側に前記奥壁への付勢に抗して前記電池装填口とは反対側へ移動する前記係合突起との摺動を可能とする傾斜面を有することを特徴とする請求項３に記載の電池室。
【請求項５】
請求項１ないし請求項４のいずれか１項に記載の電池室であって、
さらに、前記電池を前記電池接片に適合する位置へと移動させるべく、前記電池の挿入方向に直交する方向へ向けて前記電池を押圧する押圧板を備えることを特徴とする電池室。
【請求項６】
請求項１ないし請求項５のいずれか１項に記載の電池室を備えることを特徴とする電子機器。
【請求項７】
請求項１ないし請求項５のいずれか１項に記載の電池室を備えることを特徴とする撮像装置。
【発明の詳細な説明】
【技術分野】
【０００１】
本発明は、異なる種類の電池を装填可能な電池室に関する。
【背景技術】
【０００２】
例えば、電子機器では、電力の供給源としての電池の装填のための電池室を備えているものがある。この電池室では、使い勝手を向上させるために、異なる種類の電池を装填可能な構成とすることが望ましい。
【０００３】
ここで、電池の種類が異なると、高さ寸法に差異がある場合があることから、電池の種類に応じて一方の端子の高さ位置を変化させる構成の電池室が考えられている（例えば、特許文献１参照）。この電池室では、高さ寸法以外の外形形状の差異を利用して一方の端子の高さ位置を変化させることにより、高さ寸法の異なる２種類の電池の装填を可能としている。
【発明の概要】
【発明が解決しようとする課題】
【０００４】
しかしながら、上記した従来の電池室では、高さ寸法以外の外形形状の差異を利用して一方の端子の高さ位置を変化させているので、高さ寸法以外の外形形状に差異がない複数の種類の電池には対応することができない。
【０００５】
本発明は、上記の事情に鑑みて為されたもので、外形形状の差異に拘らず、高さ寸法の異なる複数の種類の電池を装填することのできる電池室を提供することを目的とする。
【課題を解決するための手段】
【０００６】
請求項１に記載の電池室は、電池の挿入のための電池装填口と、該電池装填口からの前記電池の挿入方向の奥側に位置する奥壁または前記電池装填口を塞ぐべく開閉可能に設けられた蓋部材の少なくとも一方に設けられ電気的な端子を形成する電池接片と、前記蓋部材に対向する挿入された前記電池の後端面に係合可能な係止爪と、を備える電池室であって、前記係止爪を前記電池の後端面に係合する係合位置と前記係止爪が前記電池の後端面に係合しない退避位置との間で移動可能に保持する爪機構を備え、該爪機構は、前記挿入方向に沿って移動可能に前記奥壁を保持し、前記電池を挿入した際の前記奥壁の移動に伴って、前記係合位置とした際の前記係止爪から前記奥壁までの間隔が、前記電池の挿入方向で見た高さ寸法となると、前記係止爪を前記退避位置から前記係合位置へと移動させることを特徴とする。
【０００７】
請求項２に記載の電池室は、請求項１に記載の電池室であって、前記爪機構は、前記電池室の外方で前記電池の挿入方向に延在しつつ延在方向に直交する軸線回りに回動可能に支持された長尺部材からなり、一端に前記係止爪を有しかつ他端部に長尺方向に並列して複数の係合溝部を有する固定レバーと、前記奥壁の移動と共に前記固定レバーにおいて前記各係合溝部が設けられた面と対向しつつ前記電池の挿入方向に移動すべく前記奥壁に設けられた係合突起と、を有し、該係合突起は、前記挿入方向での移動に伴って、前記係止爪を前記係合位置とする係止姿勢である前記固定レバーにおける前記各係合溝部が設けられた面に対して、干渉可能であるとともに前記各係合溝部への係合が可能な大きさ寸法とされ、該各係合溝部は、前記係合位置とした際の前記係止爪から前記奥壁までの間隔を、前記各電池の挿入方向で見た高さ寸法とする、前記奥壁の位置に対応する前記挿入方向での位置にある前記係合突起の係合を可能とするように、前記固定レバー上での長尺方向で見た位置が設定されていることを特徴とする
【０００８】
請求項３に記載の電池室は、請求項２に記載の電池室であって、前記爪機構は、前記奥壁を前記電池装填口側へ向けて付勢していることを特徴とする。
【０００９】
請求項４に記載の電池室は、請求項３に記載の電池室であって、前記各係合溝部は、前記一端側に前記奥壁への付勢により前記電池装填口側へ移動する前記係合突起と係合可能な係合面を有し、前記各係合溝部のうち少なくとも最も前記他端側に位置する前記係合溝部を除く前記各係合溝部は、前記他端側に前記奥壁への付勢に抗して前記電池装填口とは反対側へ移動する前記係合突起との摺動を可能とする傾斜面を有することを特徴とする。
【００１０】
請求項５に記載の電池室は、請求項１ないし請求項４のいずれか１項に記載の電池室であって、さらに、前記電池を前記電池接片に適合する位置へと移動させるべく、前記電池の挿入方向に直交する方向へ向けて前記電池を押圧する押圧板を備えることを特徴とする。
【００１１】
請求項６に記載の電子機器は、請求項１ないし請求項５のいずれか１項に記載の電池室を備えることを特徴とする。
【００１２】
請求項７に記載の撮像装置は、請求項１ないし請求項５のいずれか１項に記載の電池室を備えることを特徴とする。
【発明の効果】
【００１３】
請求項１に記載の電池室では、奥壁の高さ位置（電池装填口から見た深さ位置）に応じて、適宜係止爪が退避位置から係止位置へと移動することから、外形形状に拘らず高さ寸法の差異のみで電池室の深さ寸法を変化させることができる。
【００１４】
上記した構成に加えて、
前記爪機構は、前記電池室の外方で前記電池の挿入方向に延在しつつ延在方向に直交する軸線回りに回動可能に支持された長尺部材からなり、一端に前記係止爪を有しかつ他端部に長尺方向に並列して複数の係合溝部を有する固定レバーと、前記奥壁の移動と共に前記固定レバーにおいて前記各係合溝部が設けられた面と対向しつつ前記電池の挿入方向に移動する係合突起と、を有し、該係合突起は、前記挿入方向での移動に伴って、前記係止爪を前記係合位置とする係止姿勢である前記固定レバーにおける前記各係合溝部が設けられた面に対して、干渉可能であるとともに前記各係合溝部への係合が可能な大きさ寸法とされ、該各係合溝部は、前記係合位置とした際の前記係止爪から前記奥壁までの間隔を、前記各電池の挿入方向で見た高さ寸法とする、前記奥壁の位置に対応する前記挿入方向での位置にある前記係合突起の係合を可能とするように、前記固定レバー上での長尺方向で見た位置が設定されていることとすると、簡単な構成で爪機構を形成することができ、かつ係合溝部の設定位置を調節するだけで任意の高さ寸法の電池を装填対象とすることができ、さらに係合溝部の数を調節するだけで装填対象とする電池の数を設定することができる。
【００１５】
上記した構成に加えて、前記爪機構は、前記奥壁を前記電池装填口側へ向けて付勢していることとすると、奥壁を、深さ寸法の設定のための移動機構として機能させるとともに、装填された電池の取出機構として機能させることができる。
【００１６】
上記した構成に加えて、前記各係合溝部は、前記一端側に前記奥壁への付勢により前記電池装填口側へ移動する前記係合突起と係合可能な係合面を有し、前記各係合溝部のうち少なくとも最も前記他端側に位置する前記係合溝部を除く前記各係合溝部は、前記他端側に前記奥壁への付勢に抗して前記電池装填口とは反対側へ移動する前記係合突起との摺動を可能とする傾斜面を有することとすると、装填対象である電池の各々の高さ寸法に適合された電池室の深さ寸法を、奥壁への付勢力により維持することができる。また、装填対象である電池のうち、背の高い方の電池が電池装填口から挿入された際の、係合突起の移動すなわち奥壁の移動を円滑なものとすることができる。
【００１７】
上記した構成に加えて、さらに、前記電池を前記電池接片に適合する位置へと移動させるべく、前記電池の挿入方向に直交する方向へ向けて前記電池を押圧する押圧板を備えることとすると、押圧板により寄せられた方向を基準として、高さ方向に直交する面で見た電池接片と電池の出力端子との設定位置が等しいものであれば、高さ方向に直交する方向の大きさ寸法の異なる電池も装填対象とすることができる。
【００１８】
上記した構成の電池室を備える電子機器または撮像装置では、様々な種類の電池を利用することができる。
【図面の簡単な説明】
【００１９】
【図１】本発明に係る電池室１０を備える撮像装置（電子機器）の一例としてのデジタルカメラ１を示す正面図である。
【図２】電池室１０の構成を示す模式的な斜視図である。
【図３】図２の電池室１０を電池蓋１５側（通常のデジタルカメラ１の使用状態における下側）からみた模式的な底面図である。
【図４】電池室１０の構成を示す模式的な断面図である。
【図５】電池室１０に用いられる固定レバー２０の構成を説明するための説明図であり、（ａ）は図２と同様の斜視図で示し、（ｂ）は図４と同様の側面図で示している。
【図６】装填対象とする２種類の電池を示す模式的な斜視図であり、（ａ）は背の低い電池１１Ａを示し、（ｂ）は背の高い電池１１Ｂを示している。
【図７】電池蓋１５を開成状態とした様子を示す図４と同様の断面図である。
【図８】電池室１０に電池１１Ａを装填する様子を説明するための説明図であり、（ａ）は、電池１１Ａを挿入した様子を示し、（ｂ）は、電池１１Ａを押し込んでいく様子を示し、（ｃ）は、深さ寸法が電池１１Ａの高さ寸法となった様子を示している。
【図９】電池室１０に電池１１Ｂを装填する様子を説明するための説明図であり、（ａ）は、電池１１Ｂを挿入した様子を示し、（ｂ）は、電池１１Ｂを押し込んでいく様子を示し、（ｃ）は、深さ寸法が電池１１Ａの高さ寸法となった様子を示し、（ｄ）は、さらに電池１１Ｂを押し込んでいく様子を示し、（ｅ）は、深さ寸法が電池１１Ｂの高さ寸法となった様子を示している。
【図１０】電池室１０から電池１１Ａを取り出す様子を説明するための説明図であり、（ａ）は、ロック爪２２を係止位置から退避位置へと移動させる様子を示し、（ｂ）は、横壁部３２が電池取出位置となった様子を示している。
【図１１】押圧板により電池が寄せられる方向に対する基準位置を説明するための図３と同様の底面図である。
【発明を実施するための形態】
【００２０】
以下に、本願発明に係る電池室の実施例について図１ないし図１０を参照しつつ説明する。なお、図３では、バネ用突起２５およびトーションバネ２６は省略して示している。
【実施例】
【００２１】
本発明に係る電池室１０は、図１に示すように、本実施例では電子機器の一例としてのデジタルカメラ１に設けられている。このデジタルカメラ１は、カメラ本体２の前面側に撮影光学系としての撮影レンズ系３を取付けたレンズ鏡胴４が設けられており、撮影レンズ系３を経て撮像素子（図示せず）で画像を取得する。デジタルカメラ１では、電池室１０に装填された電池１１（図８（ｃ）および図９（ｅ）参照）からメイン回路基板５（図４参照）へと電力が供給されることにより、撮影動作等の実行が可能とされている。このデジタルカメラ１の構成および動作等については、本発明とは直接関係するものではないことから、詳細な説明は省略する。以下の説明では、撮影光学系（撮影レンズ系３）の光軸方向をカメラ本体２の厚さ方向またはＺ軸方向とし、デジタルカメラ１の通常の使用状態での上下方向をカメラ本体２の高さ方向またはＹ軸方向とし、その２つに直交する方向をカメラ本体２の幅方向またはＸ軸方向とする。ここで、Ｚ軸方向の正の側をカメラの正面側（前側）とし、Ｚ軸方向の負の側をカメラの背面側（後側）とする。また、Ｙ軸方向の正の側を上側とし、Ｙ軸方向の負の側を下側とし、Ｘ軸方向の正の側をカメラの背面側から見た右側とし、Ｘ軸方向の負の側をカメラの背面側から見た左側とする。
【００２２】
この電池室１０を構成すべく、カメラ本体２には、図２ないし図４に示すように、電池室用空間１２と爪機構用空間１３とが設けられている。この電池室用空間１２は、カメラ本体２の底面から高さ方向（Ｙ軸方向）に延在する全体に直方体状を呈し、そのカメラ本体２の底面を開口（１２ａ）する。電池室用空間１２は、後述する可動壁３０の横壁部３２と協働して、実質的に電池１１を装填する空間である電池室１０を構成する。このため、電池室用空間１２の開口は、電池室１０への電池１１の装填（挿入）のための電池装填口１２ａとなる。また、電池１１の電池室１０への挿入方向は、電池室１０すなわち電池室用空間１２の延在方向である高さ方向（Ｙ軸方向）となる。
【００２３】
爪機構用空間１３は、電池室用空間１２よりも狭い幅寸法でカメラ本体２の底面から高さ方向（Ｙ軸方向）に延在する全体に直方体状を呈し、そのカメラ本体２の底面を開口（１３ａ）する。この爪機構用空間１３は、電池室１０に挿入された各電池１１をロック（固定）するための爪機構（後述する固定レバー２０、可動壁３０およびコイルバネ３６）を構成するものである。このため、爪機構用空間１３の開口は、後述する固定レバー２０のロック爪２２を露出させるための挿通口１３ａとなる。
【００２４】
この電池室用空間１２と爪機構用空間１３とは、底面側から見ると区画壁１４を挟んで厚さ方向（Ｚ軸方向）で隣接しており（図３参照）、底面側から見た奥側（デジタルカメラ１の通常の使用状態で見て上側（Ｙ軸方向正側））が連通している。
【００２５】
この電池室用空間１２の電池装填口１２ａと爪機構用空間１３の挿通口１３ａとは、蓋部材としての電池蓋１５により遮蔽可能とされている。電池蓋１５は、全体に平板状を呈し、回動軸１５ａを介してカメラ本体２の底面に開閉自在に設けられており、図示を略すロック機構により遮蔽（閉成）状態（図４参照）の維持が可能とされている。電池蓋１５には、本実施例では、後述する固定レバー２０の回動によるロック爪２２の移動を許容するための凹所１５ｂが設けられている。
【００２６】
電池室用空間１２および爪機構用空間１３には、固定レバー２０と可動壁３０とが設けられている。固定レバー２０は、全体に長尺な板状を呈し、爪機構用空間１３で幅方向（Ｘ軸方向）に延在する回動軸２１により、爪機構用空間１３内で回動自在に軸支されている。この固定レバー２０は、図５に示すように、一端（底面側）にロック爪２２を有し、他端部（奥側）に２個の係合溝部２３、２４を有し、回動軸２１よりも一端側にバネ用突起２５を有する。
【００２７】
ロック爪２２は、区画壁１４側の面（以下、固定レバー２０の前面２０ａという）から固定レバー２０の延在方向に対して直交して延出されている。このロック爪２２は、他端側（図５等で見て下側）に平坦な係止面２２ａを形成している。ロック爪２２は、電池室１０に挿入された電池１１（図８（ｃ）および図９（ｅ）参照）が、電池装填口１２ａから脱落することを防止すべくすなわち挿入された電池１１の装填状態を維持すべく、係止面２２ａを挿入された電池１１の後述する下面１１ｄに面当接させて、当該電池１１を係止（ロック（固定））するものである。ロック爪２２は、固定レバー２０が回動軸２１に軸支されて高さ方向に沿う姿勢（直立姿勢）とされた状態において、爪機構用空間１３の挿通口１３ａから区画壁１４を超えて電池室用空間１２（電池装填口１２ａ）上に、このロック爪２２の先端部分（係止面２２ａ）が位置することが可能な長さ寸法とされている。このロック爪２２の先端部分（係止面２２ａ）は、電池室用空間１２（電池装填口１２ａ）上に位置することで、挿入された電池１１の後述する下面１１ｄを係止（ロック（固定））することができる（図８（ｃ）および図９（ｅ）参照）。以下では、これをロック爪２２の係止位置とし、そのときの固定レバー２０の姿勢を係止姿勢とする。また、ロック爪２２は、固定レバー２０が回動軸２１に軸支されて係止姿勢から一端が電池室用空間１２から離間する方向へと回動された状態において、電池室用空間１２（電池装填口１２ａ）上から爪機構用空間１３へ退避することが可能とされている（図７等参照）。本実施例では、ロック爪２２は、爪機構用空間１３へ退避することにより、電池室用空間１２（電池室１０）に挿入された電池１１の後述する下面１１ｄに係合しないものとされている。以下では、これをロック爪２２の退避位置とし、そのときの固定レバー２０の姿勢を退避姿勢とする。
【００２８】
２つの係合溝部２３、２４は、固定レバー２０の幅方向（Ｘ軸方向）に沿って当該固定レバー２０の後面２０ｂを切り欠くように、固定レバー２０の延在方向（Ｙ軸方向）に並列して設けられている。両係合溝部２３、２４は、回動軸２１側（一端側）に固定レバー２０の延在方向に直交する平坦な係合面２３ａ、２４ａを形成している。また、係合溝部２３では、係合溝部２４側（他端側）の面が傾斜面２３ｂとされている。この係合溝部２３および係合溝部２４は、後述するように、可動壁３０との協働により電池室１０の深さ寸法を変更することを可能とするものである。
【００２９】
本実施例では、係合溝部２３は、後述する電池１１Ａ（図６（ａ）参照）を装填対象として設けられている。この係合溝部２３は、後述する可動壁３０の爪壁部３３の係合突起３４が係合すると、後述する可動壁３０の横壁部３２（その電池接片３５を考慮する）から固定レバー２０のロック爪２２の係止面２２ａまでの間隔を、電池１１Ａにおける係止面２２ａへの当接面（下面１１ｄ）から電池接片３５への当接面（出力端子１１ｂの当接面）までの高さ寸法に適合させるように位置設定されている。また、係合溝部２４は、後述する電池１１Ｂ（図６（ｂ）参照）を装填対象として設けられている。この係合溝部２４は、後述する可動壁３０の爪壁部３３の係合突起３４が係合すると、後述する可動壁３０の横壁部３２（その電池接片３５を考慮する）から固定レバー２０のロック爪２２の係止面２２ａまでの間隔を、電池１１Ｂにおける係止面２２ａへの当接面（下面１１ｄ）から電池接片３５への当接面（出力端子１１ｂの当接面）までの高さ寸法に適合させるように位置設定されている。なお、電池接片３５を考慮するとは、装填された各電池１１の出力端子（図６の符号１１ｂ参照）に対して、後述する電池接片３５の弾性力を利用して当該電池接片３５を適切な押圧力（接触圧）で当接させることを可能とするように、横壁部３２（その上面）からロック爪２２（その係止面２２ａ）までの間隔を設定することをいう。
【００３０】
バネ用突起２５は、固定レバー２０の側面から幅方向（Ｘ軸方向）に延出された突起であり、トーションバネ２６の一端２６ａが係合される。このトーションバネ２６は、爪機構用空間１３の壁面から幅方向に延在する支持軸２７に巻回部２６ｂが挿通されて爪機構用空間１３内に設けられている。トーションバネ２６の他端２６ｃは、区画壁１４と対向し爪機構用空間１３の一面を規定する壁面１３ｂに係合されている（図２および図４参照）。このトーションバネ２６は、爪機構用空間１３の壁面１３ｂから離間する方向へとバネ用突起２５を付勢する（図４および図５の矢印Ａ１参照）。このため、固定レバー２０は、回動軸２１回りに、一端側が区画壁１４（電池室用空間１２）に近づく方向へと、換言するとロック爪２２が退避位置から係止位置へと移動する方向へと、常にトーションバネ２６からの付勢力が付与されている。
【００３１】
可動壁３０は、図２ないし図４に示すように、全体にＬ字状を呈する板部材であり、区画壁１４に沿って高さ方向に延在する縦壁部３１と、電池室用空間１２と爪機構用空間１３との奥壁面に沿って厚さ方向に延在する横壁部３２と、縦壁部３１から高さ方向に延出する爪壁部３３とを有する。この可動壁３０は、縦壁部３１および爪壁部３３が固定レバー２０から見て区画壁１４（電池室用空間１２）とは反対側で高さ方向（Ｙ軸方向）に延在し、かつ横壁部３２が区画壁１４よりも奥側（デジタルカメラ１の通常の使用状態で見て上側）で電池室用空間１２と爪機構用空間１３との双方に跨って厚さ方向（Ｚ軸方向）に延在するように、設けられている。このため、横壁部３２の一部は、電池室用空間１２において、電池装填口１２ａから見た奥側（デジタルカメラ１の通常の使用状態で見て上側）に位置する奥壁となり、電池室用空間１２（区画壁１４も含む）と協働して、実質的に電池１１を装填（挿入）する空間である電池室１０を構成する。
【００３２】
この可動壁３０は、上記した姿勢を維持しつつ高さ方向（Ｙ軸方向）に所定の範囲内でスライド移動可能に、電池室用空間１２および爪機構用空間１３の壁面に保持されている。この所定の範囲とは、後述する電池取出位置から、少なくとも装填対象とする電池のうち最も大きな高さ寸法を有する電池（本実施例では、電池１１Ｂ）に適合する深さ寸法とすることができる位置までをいう。なお、可動壁３０をスライド移動可能に保持するものは、電池室用空間１２または爪機構用空間１３のいずれか一方の壁面であってもよい。
【００３３】
可動壁３０の爪壁部３３は、固定レバー２０の後面２０ｂと厚さ方向（Ｚ軸方向）で対向し、その後面２０ｂへ向けて延出する係合突起３４を有する。この係合突起３４は、固定レバー２０が係止姿勢であるときに（図８（ｃ）、図９（ｅ）参照）、その後面２０ｂに設けられた係合溝部２３または係合溝部２４と係合可能であり、かつ係合溝部２３または係合溝部２４が設けられていない箇所では後面２０ｂと干渉する大きさ寸法とされている。このため、係合突起３４は、トーションバネ２６の付勢による固定レバー２０の回動方向とは逆側へと回動した状態（図７、図８（ａ）、（ｂ）、図９（ａ）、（ｂ）、（ｄ）等参照）において、固定レバー２０の後面２０ｂもしくは係合溝部２３の傾斜面２３ｂに当接（摺動）する。また、係合突起３４は、電池室用空間１２の電池装填口１２ａ側および爪機構用空間１３の挿通口１３ａ側（図２および図４等で見て上側）が、高さ方向（Ｙ軸方向）に直交する面に沿う平坦な係合面３４ａとされている。このため、係合突起３４の係合面３４ａは、当該係合突起３４が係合溝部２３または係合溝部２４と係合した状態において、係合溝部２３の係合面２３ａまたは係合溝部２４の係合面２４ａと面当接可能である。なお、本実施例では、固定レバー２０の後面２０ｂとの摺動を円滑なものとすべく、係合突起３４（係合面３４ａ）の先端部を丸み面取りしている。
【００３４】
可動壁３０の横壁部３２には、一対の電池接片３５が設けられている。この両電池接片３５は、一方が正極用、他方が負極用とされており、接続線３５ａ（図４等参照）を介してカメラ本体２に設けられるメイン回路基板５に接続されている。接続線３５ａは、電池室用空間１２内での可動壁３０（横壁部３２）の移動に拘らず接続線３５ａとメイン回路基板５とを電気的に接続するものであり、本実施例では、リード線が用いられている。なお、接続線３５ａは、可撓性と導電性とを有する部材で構成されていれば、金属ばねやＦＰＣ（フレキシブルプリント基板）であってもよく、本実施例に限定されるものではない。
【００３５】
この一対の電池接片３５の配設位置は、区画壁１４を基準として、装填対象とする各電池１１（図６の符号１１Ａおよび１１Ｂ参照）の後述する出力端子１１ｂの設定位置に適合するものとされている。一対の電池接片３５は、本実施例では、中間位置が横壁部３２の上面よりも上方へと突出するように折り曲げられた金属片で構成されている。これは、装填対象とする各電池１１が装填された際に、一対の電池接片３５の弾性力を利用して各電池１１の出力端子（図６の符号１１ｂ参照）への適切な押圧力を得るためである。この可動壁３０は、少なくとも一対の電池接片３５が設けられた横壁部３２が絶縁性を有する材料で形成されている。
【００３６】
この可動壁３０は、電池室用空間１２と爪機構用空間１３との奥壁面に設けられたコイルバネ３６により、電池室用空間１２の電池装填口１２ａ側および爪機構用空間１３の挿通口１３ａ側（図２および図４等で見て上側（Ｙ軸方向負側））へ向けて付勢されている。このため、可動壁３０は、爪壁部３３の係合突起３４が固定レバー２０の係合溝部２３または係合溝部２４と係合していない状態では、コイルバネ３６からの付勢により、高さ方向（Ｙ軸方向）に沿うスライド移動可能とされた範囲において最も奥壁面から離間した位置（図７参照）へと移動する（以下では、この位置を電池取出位置という）。このように、可動壁３０が電池取出位置であると、図７に示すように、その爪壁部３３の係合突起３４（その先端）が、固定レバー２０の後面２０ｂにおける回動軸２１に最も近接した位置に当接する。これにより、固定レバー２０は、トーションバネ２６の付勢により回動軸２１回りに回動してロック爪２２を退避位置とする退避姿勢となる。
【００３７】
このコイルバネ３６は、電池室１０に電池（電池１１Ａまたは電池１１Ｂ）が装填された状態、すなわち可動壁３０の爪壁部３３の係合突起３４が固定レバー２０に設けられた係合溝部２３または係合溝部２４に係合した状態を、その装填した電池（電池１１Ａまたは電池１１Ｂ）に生じ得る高さ方向（Ｙ軸方向）への移動力に抗して維持することができる付勢力に設定されている。ここで言う装填した電池に生じ得る高さ方向への移動力とは、電池室１０（それを適用したデジタルカメラ１）において想定する急激な移動に伴って当該電池に生じる慣性に起因するものである。
【００３８】
本実施例では、電池室用空間１２の一面を規定すべく区画壁１４と対向する壁面１２ｂに、押圧板１６が設けられている。この押圧板１６は、平板状を呈し、壁面１２ｂに形成された凹所１２ｃに収容されている。押圧板１６は、一端（電池室用空間１２の開口端側（図２および図４等で見て上側（Ｙ軸方向負側）））に回動軸１６ａを有し、この回動軸１６ａが凹所１２ｃ内で幅方向（Ｘ軸方向）に回動可能に保持されている。また、押圧板１６は、図示を略す付勢手段（例えば、トーションバネ）により、凹所１２ｃから電池室用空間１２へと突出する方向（矢印Ａ２参照）へと付勢されている。このため、押圧板１６は、電池室１０に電池１１が装填（挿入）されていない状態において、他端が区画壁１４に当接する姿勢まで回動軸１６ａ回りに回動する（図４の二点鎖線で示す押圧板１６参照）。
【００３９】
電池室１０は、本実施例では、図６に示すように、主に高さ寸法の異なる２種類の電池１１（個別に述べるときは、背の低い方を１１Ａとし、背の高い方を１１Ｂとする）を装填対象とする、すなわち両電池１１（１１Ａ、１１Ｂ）の適切な装填を可能とするものである。この２種類の電池１１（１１Ａ、１１Ｂ）は、互いに等しい出力電圧であって、上面１１ａにおける出力端子１１ｂの配設位置が略等しいものとされている。ここでいう略とは、電池１１Ａと電池１１Ｂとでは、厚さ寸法がわずかに異なるものとされていることから、双方の上面１１ａが完全な同一形状ではないことによる。なお、本実施例では、上述したように、一対の電池接片３５が区画壁１４を基準として配設位置が設定されていることから、電池１１Ａの周面１１ｃにおいて電池室１０に装填（挿入）された状態で区画壁１４と対向する面を基準とする出力端子１１ｂの配設位置が略等しいものとされている。
【００４０】
その出力端子１１ｂは、３つ並列された凹所として構成されており、１つが正極、もう１つが負極、残りが制御用の端子である。本実施例の電池室１０では、可動壁３０の横壁部３２に設けられた一対の電池接片３５が、電池１１の出力端子１１ｂのうち正極と負極との２つの端子に対応するものとされている（図２および図３参照）。
【００４１】
本実施例では、図６（ａ）に示す電池１１Ａは、挿入方向で見た高さ寸法（Ｙ軸参照）が４９ｍｍ、幅寸法（Ｘ軸参照）が３５ｍｍ、厚さ寸法（Ｚ軸参照）が１０ｍｍである。また、図６（ｂ）に示す電池１１Ｂは、挿入方向で見た高さ寸法（Ｙ軸参照）が５３ｍｍ、幅寸法（Ｘ軸参照）が３５ｍｍ、厚さ寸法（Ｚ軸参照）が１１ｍｍである。このように出力電圧が等しいものであっても大きさ寸法（本実施例では、主に高さ寸法）が異なるのは、容量の差異によって大きさ寸法が異なるものとされていたり、同一の容量であっても技術革新により大きさ寸法が低減されたり、（出力端子の配設位置が略等しいことを前提として）製造元が異なることで大きさ寸法が異なるものとされていたり、することがあげられる。
【００４２】
次に、２種類の電池１１（１１Ａ、１１Ｂ）の電池室１０への装填および取り出しの動作について、図７ないし図１０を用いて説明する。なお、装填および取り出しの動作説明では、図７ないし図１０を正面視した上下方向を用いるものとする。先ずは、大きさ寸法の小さい（背の低い）電池１１Ａを装填する様子を、図７および図８を用いて説明する。
【００４３】
この電池室１０では、電池１１を装填する際、先ず、図７に示すように、ロック機構（図示せず）を解除して電池蓋１５を開成状態とする。このとき、電池室１０では、上述したように、コイルバネ３６の上方への付勢により可動壁３０が電池取出位置に位置し、その爪壁部３３の係合突起３４（その先端）の固定レバー２０の後面２０ｂへの当接により、固定レバー２０が退避姿勢とされて、そのロック爪２２が退避位置とされている。また、押圧板１６は、その先端が区画壁１４に当接する姿勢まで回動されている。
【００４４】
図８（ａ）に示すように、出力端子１１ｂの位置（図６参照）を、電池室１０における電池接片３５の位置（図２および図３参照）に対応させて、電池１１Ａを上面１１ａ側から電池装填口１２ａ（電池室用空間１２）へと挿入する。このとき、押圧板１６は、電池１１Ａの周面１１ｃに押圧されることにより電池室用空間１２の凹所１２ｃへと退避する方向に回動されるとともに、周面１１ｃを押圧して電池１１Ａを区画壁１４に押し当てる。また、上記したように電池１１Ａを挿入することにより、電池取出位置にある可動壁３０の横壁部３２の上面と電池１１Ａの上面１１ａとが対向し、その横壁部３２に対を為して設けられた電池接片３５が、電池１１Ａの出力端子１１ｂのうちの対応する２つ（正極および負極）に当接する。
【００４５】
その後、電池１１Ａの下面１１ｄ（図８で見ると上側の面）を押圧し、コイルバネ３６の付勢力に抗して電池１１Ａを電池室用空間１２（電池室１０）へと押し込んでいく。すると、図８（ｂ）に示すように、電池１１Ａを介して可動壁３０（横壁部３２）が押し下げられ、可動壁３０の爪壁部３３の係合突起３４（その先端）の固定レバー２０の後面２０ｂへの当接位置が、回動軸２１から遠ざかるように下方へと移動する。このため、固定レバー２０は、トーションバネ２６の付勢により、一端のロック爪２２を退避位置から係止位置へと移動する方向（図４の矢印Ａ１参照）へと、回動軸２１回りに回動し始める。この固定レバー２０の回動姿勢は、可動壁３０の爪壁部３３の係合突起３４による後面２０ｂへの当接位置に応じて変化することとなる。
【００４６】
その後、電池１１Ａを介して可動壁３０をさらに押し下げると、図８（ｃ）に示すように、下方へと移動する可動壁３０の爪壁部３３の係合突起３４（その先端）が、上側（回動軸２１に近い側）の係合溝部２３に到達する。すると、可動壁３０の爪壁部３３の係合突起３４が、係合溝部２３に係合する回動姿勢まで、固定レバー２０が回動する。上述したように、係合突起３４は、固定レバー２０が係止姿勢であるときに、係合溝部２３と係合する大きさ寸法とされていることから、固定レバー２０は、係止姿勢まで回動する。このとき、固定レバー２０の一端のロック爪２２（その先端部分）は、爪機構用空間１３の挿通口１３ａから区画壁１４を超えて電池室用空間１２（電池装填口１２ａ）上に位置する係止位置となる。すると、固定レバー２０（回動軸２１とロック爪２２と係合溝部２３との位置関係）および可動壁３０（縦壁部３１と横壁部３２と爪壁部３３と係合突起３４との位置関係）の設定により、ロック爪２２の平坦な係止面２２ａが電池１１Ａの下面１１ｄに面当接する。
【００４７】
このとき、電池室１０では、係合溝部２３の固定レバー２０における位置設定により、可動壁３０の横壁部３２から固定レバー２０のロック爪２２の係止面２２ａまでの間隔が、電池１１Ａにおける係止面２２ａへの当接面（下面１１ｄ）から電池接片３５への当接面（出力端子１１ｂの当接面）までの高さ寸法に適合されており、電池１１Ａの高さ寸法に適合する深さ寸法となる。このため、電池室１０では、横壁部３２に設けられた一対の電池接片３５が、装填された電池１１Ａの出力端子１１ｂに対して適切な押圧力で当接する。
【００４８】
よって、電池室１０では、電池１１Ａを電池装填口１２ａから挿入するだけで、固定レバー２０と可動壁３０との協働により、電池１１Ａに高さ寸法に適合する深さ寸法となり、電池１１Ａを適切に装填することができる。
【００４９】
次に、大きさ寸法の大きい（背の高い）電池１１Ｂを装填する様子を、図７および図９を用いて説明する。先ず、電池１１Ａのときと同様に、電池蓋１５を開成状態とする（図７参照）。
【００５０】
次に、図９（ａ）に示すように、出力端子１１ｂの位置（図６参照）を、電池室１０における電池接片３５（図２および図３参照）に対応させて、電池１１Ｂを上面１１ａ側から電池装填口１２ａへと挿入する。すると、電池１１Ａのときと同様に、電池１１Ｂが押圧板１６により区画壁１４に押し当てられながら、電池取出位置にある可動壁３０の横壁部３２の上面と電池１１Ｂの上面１１ａとが対向し、その横壁部３２に対を為して設けられた電池接片３５が、電池１１Ｂの出力端子１１ｂのうちの対応する２つ（正極および負極）に当接する。
【００５１】
その後、電池１１Ｂの下面１１ｄ（図９で見ると上側の面）を押圧し、コイルバネ３６の付勢力に抗して電池１１Ｂを電池室用空間１２（電池室１０）へと押し込んでいく。すると、図９（ｂ）に示すように、電池１１Ｂを介して可動壁３０が押し下げられるので、固定レバー２０が、トーションバネ２６の付勢により一端のロック爪２２を退避位置から係止位置へと移動する方向（図４の矢印Ａ１参照）へと、回動軸２１回りに回動し始める。
【００５２】
その後、電池１１Ｂを介して可動壁３０をさらに押し下げると、図９（ｃ）に示すように、下方へと移動する可動壁３０の爪壁部３３の係合突起３４（その先端）が、上側（回動軸２１に近い側）の係合溝部２３に到達する。このため、固定レバー２０は、可動壁３０の爪壁部３３の係合突起３４が、係合溝部２３に係合する回動姿勢（係止姿勢）まで回動しようとする。このとき、係合溝部２３が小さな高さ寸法の電池１１Ａに対応するものであって、それよりも大きい電池１１Ｂは、電池室用空間１２（電池室１０）に収まりきっていないことから、固定レバー２０のロック爪２２（その先端）が電池１１Ｂの周面１１ｃに当接するので、固定レバー２０が係止姿勢まで回動することはない。
【００５３】
その後、電池１１Ｂを介して可動壁３０をさらに押し下げると、図９（ｄ）に示すように、係合突起３４は、下方への移動に伴って、係合溝部２３の傾斜面２３ｂに摺動し、その係合溝部２３から相対的に抜け出して、係合溝部２３と係合溝部２４との間で固定レバー２０の後面２０ｂに当接（摺動）する。
【００５４】
その後、電池１１Ｂを介して可動壁３０をさらに押し下げると、図９（ｅ）に示すように、下方へと移動する可動壁３０の爪壁部３３の係合突起３４（その先端）が下側（回動軸２１から離間する側）の係合溝部２４に到達する。すると、固定レバー２０は、可動壁３０の爪壁部３３の係合突起３４が、係合溝部２４に係合する回動姿勢まで回動して、係止姿勢となる。このとき、固定レバー２０の一端のロック爪２２は、係止位置となる。この状態では、固定レバー２０（回動軸２１とロック爪２２と係合溝部２４との位置関係）および可動壁３０（縦壁部３１と横壁部３２と爪壁部３３と係合突起３４との位置関係）の設定により、ロック爪２２の平坦な係止面２２ａが電池１１Ｂの下面１１ｄに面当接する。
【００５５】
このとき、電池室１０では、係合溝部２４の固定レバー２０における位置設定により、可動壁３０の横壁部３２から固定レバー２０のロック爪２２の係止面２２ａまでの間隔が、電池１１Ｂにおける係止面２２ａへの当接面（下面１１ｄ）から電池接片３５への当接面（出力端子１１ｂの当接面）までの高さ寸法に適合されており、電池１１Ｂの高さ寸法に適合する深さ寸法となる。このため、電池室１０では、横壁部３２に設けられた一対の電池接片３５が、装填された電池１１Ｂの出力端子１１ｂに対して適切な押圧力で当接する。
【００５６】
よって、電池室１０では、電池１１Ｂを電池装填口１２ａから挿入するだけで、固定レバー２０と可動壁３０との協働により、電池１１Ｂに高さ寸法に適合する深さ寸法となり、電池１１Ｂを適切に装填することができる。
【００５７】
このように、電池室１０では、固定レバー２０（回動軸２１とロック爪２２と係合溝部２３と係合溝部２４）、可動壁３０（縦壁部３１と横壁部３２と爪壁部３３と係合突起３４）およびコイルバネ３６は、電池室１０の深さ寸法を装填対象である電池の各々の高さ寸法とするための爪機構として機能する。
【００５８】
次に、装填された各電池１１（電池１１Ａまたは電池１１Ｂ）の電池室１０からの取り出し動作について説明する。なお、各電池１１の取り出しに関しては、電池の高さ寸法に拘らず等しい動作であることから、ここでは、図１０を用いて電池１１Ａを取り出す場面について説明し、電池１１Ｂの取り出しについては説明を省略する。
【００５９】
電池１１Ａを取り出す場合、図１０（ａ）に示すように、先ず、電池蓋１５を開成状態とし、係止面２２ａが電池１１Ａの下面１１ｄに面当接しているロック爪２２を、爪機構用空間１３（挿通口１３ａ）側へと移動させて、電池室用空間１２（電池装填口１２ａ）上から退避させる（矢印Ａ３参照）。すなわち、ロック爪２２を係止位置から退避位置へと移動させる。これにより、固定レバー２０が回動軸２１回りに回動し、後面２０ｂに設けられた係合溝部２３が係合突起３４から離間し、その係合溝部２３と係合突起３４との係合が解除される。このため、可動壁３０に対する上方への移動の制限が解除される。
【００６０】
すると、可動壁３０は、図１０（ｂ）に示すように、コイルバネ３６による上方（電池装填口１２ａ側）への付勢により、スライド移動可能な範囲の上限位置である電池取出位置まで上方へと移動する。このため、電池１１Ａは、可動壁３０の上方への移動により上方へと移動する横壁部３２に押し上げられて上方へと移動し、電池室１０の電池装填口１２ａから一部が突出される。これにより、電池室１０から電池１１Ａを容易に取り出すことができる。なお、このとき、可動壁３０の爪壁部３３の係合突起３４（その先端）の固定レバー２０の後面２０ｂへの当接により、固定レバー２０は、退避姿勢が維持される。
【００６１】
このように、電池室１０では、可動壁３０の横壁部３２が、深さ寸法の設定のための電池接片３５の移動機構として機能するとともに、コイルバネ３６との協働により装填された電池１１（１１Ａおよび１１Ｂ）の取出機構として機能する。
【００６２】
本実施例の電池室１０（それを適用したデジタルカメラ１）では、固定レバー２０（回動軸２１とロック爪２２と係合溝部２３と係合溝部２４との位置関係）および可動壁３０（縦壁部３１と横壁部３２と爪壁部３３と係合突起３４との位置関係）の設定により、高さ寸法を除く外形形状に差異のない２種類の電池１１Ａおよび電池１１Ｂのいずれであっても、電池１１Ａを挿入するとその電池１１Ａに適合する深さ寸法とすることができ、かつ電池１１Ｂを挿入するとその電池１１Ｂに適合する深さ寸法とすることができる。このため、各電池１１（電池１１Ａまたは電池１１Ｂ）を適切に装填することができる。すなわち、固定レバー２０のロック爪２２が、各電池１１を介して横壁部３２が押圧されることによる可動壁３０の高さ位置（電池装填口１２ａから見た深さ位置）に応じて、適宜退避位置から係止位置となることから、挿入される電池の外形形状に拘らず高さ寸法の差異のみで電池室１０の深さ寸法を変化させることができる。
【００６３】
また、電池室１０（それを適用したデジタルカメラ１）では、高さ寸法の異なる２種類の電池１１Ａおよび電池１１Ｂであっても、各々電池装填口１２ａから挿入するだけで、挿入した電池１１Ａまたは電池１１Ｂに適合する深さ寸法とすることができる。このため、後述する瞬断や接片（端子）の座屈、操作性の悪化、電池室自体（それを適用した電子機器自体）の耐久性が低下することを防止することができる。これは、以下のことによる。高さ寸法を除く外形形状に差異がない場合、一般的に、接片（端子）との対向位置にコイルバネを設け、そのコイルバネの伸縮により大きさ寸法の差異を吸収しつつ電池を接片（端子）に押し付ける構成が考えられる。このような構成の場合、背の高い電池を装填した際には、大きく圧縮されたコイルバネで電池を接片（端子）へと押し付けることとなり、背の低い電池を装填した際には、あまり圧縮されていないコイルバネで電池を接片（端子）へと押し付けることとなるので、電池の高さ寸法により電池と接片（端子）との接触圧が変化する。ここで、背の低い電池において、接触圧が足りないと、電池室（それを適用した電子機器）の急激な移動に伴って電池に生じる慣性に起因して、その電池が電池室内で移動することにより、当該電池と接片（端子）とが瞬間的にではあるが離間してしまい、電力供給が瞬間的に遮断されてしまういわゆる瞬断が生じてしまう虞がある。このことから、背の低い電池において、十分な接触圧を得ることができるように上記したコイルバネ（その弾性力）を設定すると、大きな寸法の電池を装填（挿入）する際に、コイルバネが大きく圧縮されることにより、その大きな弾性力に抗して行う電池の装填の操作性の悪化を招いたり、電池（その出力端子）と接片（端子）との接触圧が過大となり接片（端子）が座屈してしまったり、電池室を構成する箇所に過度の圧力がかかることに起因して電池室自体（それを適用した電子機器自体）の耐久性の低下を招いてしまう虞がある。これに対し、本発明における電池室１０では、可動壁３０を上側（電池装填口１２ａ側）へと付勢するコイルバネ３６を、可動壁３０の爪壁部３３の係合突起３４と固定レバー２０の係合溝部２３または係合溝部２４と係合した状態を維持するための付勢力として作用させることにより、適切な深さ寸法を維持する構成である、すなわちコイルバネ３６の付勢力は係合突起３４を介して係合溝部２３または係合溝部２４が受ける構成であるので、コイルバネ３６の伸縮に拘らず各電池１１（その出力端子１１ｂ）と電池接片３５との接触圧を適切なものとすることができる。このため、電池室１０では、瞬断や接片（端子）の座屈が生じることを防止することができる。また、電池室１０では、各電池１１（その出力端子１１ｂ）と電池接片３５との接触圧に拘らず、固定レバー２０の係合溝部２３または係合溝部２４と係合した状態を維持できるようにコイルバネ３６の付勢力が設定されていることから、コイルバネの伸縮により大きさ寸法の差異を吸収しつつ電池を接片（端子）に押し付ける従来の構成のように電池室１０を構成する箇所に過度の圧力がかかること、を防止することができるので、電池室１０自体（それを適用したデジタルカメラ１自体）の耐久性が低下することを防止することができる。さらに、電池室１０では、各電池１１に適合する深さ寸法とするためにコイルバネ３６の弾性力を利用し、その適合する深さ寸法とされた状態において、各電池１１（その出力端子１１ｂ）と電池接片３５との接触圧を適切なものとするために電池接片３５の弾性力を利用するものであることから、背の高い電池１１Ｂに適合するために大きく圧縮されるのがコイルバネ３６だけとなるため、高さ寸法の差異を吸収しつつ電池と接片（端子）との接触圧を適切なものとすべく弾性力が設定されたコイルバネを用いることに比較して、操作性の悪化を防止することができる。
【００６４】
さらに、電池室１０（それを適用したデジタルカメラ１）では、電池室用空間１２および爪機構用空間１３に高さ方向に所定の範囲内でスライド移動可能に保持された可動壁３０を、各電池１１（１１Ａまたは１１Ｂ）を介してコイルバネ３６の付勢力に抗するように押し込んでいくものであることから、各電池（１１Ａまたは１１Ｂ）を適切に装填することができるとともに、装填した各電池（１１Ａまたは１１Ｂ）を容易に取り出すことができる。これは、一般的に、装填した電池を取り出すために、電池室から電池を脱出させる方向へと直接当該電池を付勢するコイルバネを設けることが考えられる。このような構成の場合、電池を装填する際、そのコイルバネを圧縮するように電池を押し込んでいくことから、コイルバネの圧縮方向に対して電池を押し込む方向に傾きが生じると、コイルバネが倒れてしまう（大きく湾曲することも含む）虞がある。このようにコイルバネが倒れると、電池（その出力端子）と接片（端子）との適切な接触の妨げとなったり、倒れたコイルバネにより意図しない接片同士を短絡させてしまったりする虞がある。また、コイルバネが倒れると、そのコイルバネでは、装填した電池を適切には押し出すことができなくなるので、電池の取り出しが困難となる。これに対して、電池室１０では、電池室用空間１２および爪機構用空間１３に高さ方向に所定の範囲内でスライド移動可能に保持された可動壁３０を介してコイルバネ３６を押圧することから、コイルバネ３６にその圧縮方向に直交する方向への力が作用することを防止することができるので、このコイルバネ３６が倒れてしまうことを防止することができる。また、電池室１０では、コイルバネ３６と一対の電池接片３５（その露出された箇所）との間に、絶縁性を有する横壁部３２が設けられていることから、不測の事態が生じてコイルバネ３６が倒れてしまった場合であっても、接片同士が短絡することを確実に防止することができる。
【００６５】
電池室１０では、固定レバー２０（回動軸２１とロック爪２２と係合溝部２３と係合溝部２４との位置関係）および可動壁３０（縦壁部３１と横壁部３２と爪壁部３３と係合突起３４との位置関係）の設定を調節することにより、特に、固定レバー２０における係合溝部の設定位置を調節することにより、任意の高さ寸法の電池を装填対象とすることができるので、汎用性を向上させることができると共に、将来の容量の増加に容易に対応することができる。
【００６６】
電池室１０では、挿入された各電池１１を押圧板１６で押圧して区画壁１４に押し当てることから、電池１１Ａと電池１１Ｂとにおいて高さ寸法の他に厚さ寸法の差異がある場合であっても、各々電池装填口１２ａから挿入するだけで、電池１１Ａおよび電池１１Ｂの出力端子１１ｂを電池接片３５に適切に接触させることができるので、装填対象とする電池の種類の数に拘らず一対の電池接片３５を設けるだけで、各電池１１を適切に装填することができる。このため、一対の電池接片３５を設けるのみでよいことから、部品点数の削減によるコストダウンや省スペース化に寄与することができる。なお、この電池における厚さ寸法の差異は、区画壁１４を基準とする一対の電池接片３５の設定位置と、電池１１の周面１１ｃにおいて区画壁１４に当接される面を基準とする出力端子１１ｂの設定位置と、が適合する（電池接片３５と出力端子１１ｂとの大きさ寸法の差異による許容範囲を含む）ものであれば、一対の電池接片３５を設けるだけで装填対象とすることができる。
【００６７】
したがって、本発明に係る電池室１０では、外形形状の差異に拘らず、高さ寸法の異なる複数の種類の電池を装填することができる。
【００６８】
なお、上記した実施例では、固定レバー２０に２つの係合溝部２３および係合溝部２４を設けることにより、高さ寸法の異なる２種類の電池１１Ａおよび電池１１Ｂを装填対象とするものであったが、係合溝部の数を増加すれば装填対象として設定する電池の種類の数を増加することができるので、装填対象として設定する電池の種類の数は２つでなくてもよく、上記した実施例に限定されるものではない。なお、増加する係合溝部は、最も他端側に係合溝部２４を設定することとして、係合溝部２３のように傾斜面２３ｂを有するものとすることが、係合突起３４の円滑な摺動を可能とする観点から望ましい。
【００６９】
また、上記した実施例では、ロック爪２２と係合溝部２３と係合溝部２４とを有し回動軸２１回りに回動自在とされてトーションバネ２６により付勢された固定レバー２０と、縦壁部３１と横壁部３２と爪壁部３３と係合突起３４とを有する可動壁３０と、により爪機構が構成されていたが、係止爪（ロック爪２２）を退避位置と係止位置とで移動可能に保持しつつ、奥壁（横壁部３２）をスライド移動可能に保持するものであって、少なくとも挿入方向で見た高さ寸法の異なる二種類以上の電池の各々を装填対象として、電池を挿入した際の奥壁の移動に伴って、係合位置とした際の係止爪（係止位置にあると過程した際の係止爪）から奥壁までの間隔が、装填対象である電池の高さ寸法となると、係止爪を退避位置から係止位置へと移動させるものであればよく、換言すると深さ寸法を装填対象である複数の電池のうち挿入された電池の高さ寸法とするものであればよく、上記した実施例に限定されるものではない。
【００７０】
さらに、上記した実施例では、挿入された電池１１を押圧板１６で厚さ方向に押圧して区画壁１４に押し当てる構成とされていたが、図１１に示すように、挿入された電池を幅方向に押圧する押圧板１７（押圧板１６と同様の構成のため説明は省略する）を設けてもよく、上記した実施例に限定されるものではない。このように押圧板１７を設ける構成とした場合、高さ方向に直交する面で見て、基準点Ｃを基準とする一対の電池接片（３５）の設定位置と、電池（１１）の周面（１１ｃ）において基準点Ｃに近接される角を基準とする出力端子（１１ｂ）の設定位置と、が適合する（電池接片と出力端子との大きさ寸法の差異による許容範囲を含む）電池を装填対象とすることができる。
【００７１】
上記した実施例では、挿入された電池１１を押圧板１６で厚さ方向に押圧して区画壁１４に押し当てる構成とされていたが、押圧板１６すなわち挿入された電池を高さ方向に直交する面で見た一方に寄せる機構がなくても、高さ寸法の異なる複数の種類の電池を装填対象とすることができるので、押圧板１６（寄せる機構）をなくすことができる。しかしながら、押圧板１６（寄せる機構）を設けると、上記した所定の条件を満たせば、厚さ寸法（幅寸法）の異なる電池も装填対象とすることができるので、押圧板１６（寄せる機構）を設けることが望ましい。なお、押圧板１６（寄せる機構）における高さ方向に直交する面で見た寄せる方向（押圧する方向）は、何れの方向であってもよく、上記した実施例に限定されるものではない。
【００７２】
上記した実施例では、電子機器の一例としてデジタルカメラ１を示したが、電池を装填するための電池室を有する電子機器であればよく、上記した実施例に限定されるものではない。
【００７３】
上記した実施例では、コイルバネ３６が設けられていたが、可動壁３０すなわちその横壁部３２（奥壁）を電池装填口１２ａ側へ向けて付勢するものであればよく、上記した実施例に限定されるものではない。
【００７４】
上記した実施例では、一対の電池接片３５が可動壁３０の横壁部３２（奥壁）に設けられていたが、電池蓋１５に設けられていてもよく、上記した実施例に限定されるものではない。
【００７５】
上記した実施例では、ロック爪２２と係合溝部２３と係合溝部２４とを有し回動軸２１回りに回動自在とされてトーションバネ２６により付勢された固定レバー２０と、縦壁部３１と横壁部３２と爪壁部３３と係合突起３４とを有する可動壁３０と、により爪機構が構成されていたが、退避位置と係止位置とで移動可能な係止爪（ロック爪２２）が一端に設けられた固定レバーを高さ方向（電池の挿入方向）と直交する面に沿う回転軸回りに回動自在に保持しつつ、奥壁（横壁部３２）をスライド移動可能に保持し、奥壁の高さ方向（電池の挿入方向）への移動と共に高さ方向に移動する係合突起を有するものであって、固定レバーの他端部に、高さ方向（電池の挿入方向）で見た奥壁が、係合位置とした際の係止爪（係止位置にあると過程した際の係止爪）までの間隔を装填対象である電池の各々の高さ寸法とする位置となると、係止爪を退避位置から係止位置へと移動させるべく係合突起を受け入れる各係合溝部が設けられているものであればよく、上記した実施例に限定されるものではない。
【符号の説明】
【００７６】
１  （撮像装置（電子機器）としての）デジタルカメラ
１０  電池室
１１（１１Ａ、１１Ｂ）  電池
１１ｄ  （電池の後端面としての）下面
１２ａ  電池装填口
１５  電池蓋
１６  押圧板
１７  押圧板
２０  固定レバー
２０ｂ  （係合溝部が設けられた面としての）後面
２２  （係止爪としての）ロック爪
２３  係合溝部
２３ａ  係合面
２３ｂ  傾斜面
２４  係合溝部
２４ａ  係合面
３２  （奥壁としての）横壁部
３４  係合突起
３５  電池接片
３６  （奥壁を付勢する）コイルバネ
【先行技術文献】
【特許文献】
【００７７】
【特許文献１】特開２００２−３７３６３２号公報
【図１】
0005526799.tif 000002
【図２】
0005526799.tif 000003
【図３】
0005526799.tif 000004
【図４】
0005526799.tif 000005
【図５】
0005526799.tif 000006
【図６】
0005526799.tif 000007
【図７】
0005526799.tif 000008
【図８】
0005526799.tif 000009
【図９】
0005526799.tif 000010
【図１０】
0005526799.tif 000011
【図１１】
0005526799.tif 000012